(57)【要約】【課題】被検体に適した、偏光状態の校正を行うことを目的とする。【解決手段】参照光と、被写体に照射された測定光の反射光との干渉光に基づいて、被写体の偏光状態を示す画像を得る画像処理装置であって、参照光と、被写体に照射された測定光の反射光との干渉光を検出する検出手段と、偏光特性が既知の模型物に対して検出手段により検出された検出値と、模型物の既知の前記偏光特性と、に基づいて、校正量を算出する校正量算出手段と、校正量と、被検体に対して検出手段により検出された検出値と、に基づいて、被検体の偏光特性を算出する偏光特性算出手段とを有することを特徴とする。【選択図】図１
2016022010.tif 000002
【特許請求の範囲】
【請求項１】
参照光と、被写体に照射された測定光の反射光との干渉光に基づいて、前記被写体の偏光状態を示す画像を得る画像処理装置であって、
参照光と、前記被写体に照射された測定光の反射光との干渉光を検出する検出手段と、
偏光特性が既知の模型物に対して前記検出手段により検出された検出値と、前記模型物の既知の前記偏光特性と、に基づいて、校正量を算出する校正量算出手段と、
前記校正量と、被検体に対して前記検出手段により検出された検出値と、に基づいて、前記被検体の前記偏光特性を算出する偏光特性算出手段と
を有することを特徴とする画像処理装置。
【請求項２】
前記校正量算出手段は、前記検出値と、前記模型物の既知の前記偏光特性としてのリタデーションの値と、に基づいて、前記校正量を算出することを特徴とする請求項１に記載の画像処理装置。
【請求項３】
前記校正量算出手段は、前記検出値と、前記模型物の既知の前記偏光特性としてのオリエンテーションの値と、に基づいて、前記校正量を算出することを特徴とする請求項１に記載の画像処理装置。
【請求項４】
前記模型物と、
前記測定光の光路中に配置された反射体と、
前記反射体を制御することにより、前記測定光の光路を前記模型物又は前記被検体に導く光路制御手段と
をさらに有することを特徴とする請求項１乃至３何れか１項に記載の画像処理装置。
【請求項５】
前記反射体は、移動可能に設けられ、
前記光路制御手段は、前記反射体の位置を移動させることにより、前記測定光の光路を前記模型物又は前記被検体に導くことを特徴とする請求項４に記載の画像処理装置。
【請求項６】
移動可能に設けられた前記模型物と、
前記模型物を移動させることにより、前記測定光の光路を前記模型物又は前記被検体に導く光路制御手段と
をさらに有することを特徴とする請求項１乃至３何れか１項に記載の画像処理装置。
【請求項７】
前記干渉光を異なる偏光の光に分割する分割手段をさらに有し、
前記検出手段は、前記分割手段により得られた偏光の光それぞれを検出し、検出値に応じた信号を出力し、
前記校正量算出手段は、前記検出手段から出力された前記信号に基づいて、前記校正量を算出することを特徴とする請求項１乃至６何れか1項に記載の画像処理装置。
【請求項８】
前記測定光の光路上に設けられ、前記模型物の前記検出値と、前記模型物の既知の前記偏光特性と、に基づいて、偏光を制御する偏光制御手段をさらに有し、
前記校正量算出手段は、前記偏光制御手段による制御後に前記検出手段により検出された前記検出値と、前記模型物の既知の前記偏光特性と、に基づいて、前記校正量を算出することを特徴とする請求項１乃至７何れか１項に記載の画像処理装置。
【請求項９】
前記模型物は、偏光特性が既知の光学異方体と、反射体とを有することを特徴とする請求項１乃至８何れか１項に記載の画像処理装置。
【請求項１０】
参照光と、被写体に照射された測定光の反射光との干渉光に基づいて、前記被写体の偏光状態を示す画像を得る画像処理装置であって、
参照光と、前記被写体に照射された測定光の反射光との干渉光を検出する検出手段と、
前記測定光の光路上に設けられ、偏光特性が既知の模型物に対して前記検出手段により検出された検出値と、前記模型物の既知の前記偏光特性とに基づいて、偏光を制御する偏光制御手段と
を有することを特徴とする画像処理装置。
【請求項１１】
参照光と、被写体に照射された測定光の反射光との干渉光を検出手段により検出し、前記被写体の偏光状態を示す画像を得る画像処理装置が実行する画像処理方法であって、
偏光特性が既知の模型物に対して前記検出手段により検出された検出値と、前記模型物の既知の前記偏光特性と、に基づいて、校正量を算出する校正量算出ステップと、
参照光と、前記被写体に照射された測定光の反射光との干渉光を検出する検出ステップと、
前記校正量と、被検体に対して前記検出ステップにおいて検出された検出値と、に基づいて、前記被検体の前記偏光特性を算出する偏光特性算出ステップと
を含むことを特徴とする画像処理方法。
【請求項１２】
参照光と、被写体に照射された測定光の反射光との干渉光に基づいて、前記被写体の偏光状態を示す画像を得る画像処理装置が実行する画像処理方法であって、
参照光と、前記被写体に照射された測定光の反射光との干渉光を検出する検出ステップと、
前記測定光の光路上に設けられ、偏光特性が既知の模型物に対して前記検出ステップにおいて検出された検出値と、前記模型物の既知の前記偏光特性とに基づいて、偏光を制御する偏光制御ステップと
を含むことを特徴とする画像処理方法。
【請求項１３】
コンピュータに、請求項１１又は１２に記載の画像処理方法の各ステップを実行させるためのプログラム。
【発明の詳細な説明】
【技術分野】
【０００１】
本発明は、画像処理装置、画像処理方法及びプログラムに関する。
【背景技術】
【０００２】
近年、眼科装置において、眼底組織の光学特性や動き等をイメージングすることが可能な光干渉断層計Ｏｐｔｉｃａｌ  Ｃｏｈｅｒｅｎｃｅ  Ｔｏｍｏｇｒａｐｈｙ（ＯＣＴ）の開発が試みられている。このようなＯＣＴの一つである偏光ＯＣＴは、眼底組織の光学特性の一つである偏光パラメータ（リタデーションとオリエンテーション）を用いてイメージングを行う。偏光ＯＣＴは、偏光パラメータを利用して、偏光ＯＣＴ画像を構成し、眼底組織の区別やセグメンテーションを行うことができる。偏光ＯＣＴは、試料を観察する測定光として円偏光に変調した光を用い、干渉光を２つの直交する直線偏光として分割して検出し、偏光ＯＣＴ画像を生成する（特許文献１参照）。
【０００３】
偏光ＯＣＴは、所定の偏光状態とするために、偏光コントローラや偏光子等の偏光状態を制御する手段により偏光を調整する。しかしながら、装置の使用に伴い偏光状態が変化してしまう場合がある。例えば、ＯＣＴの光路には、光ファイバ等の導光用の部材が用いられる。光ファイバは曲げ荷重がかかると複屈折が発生し、偏光状態が変化してしまう。光学素子の複屈折には温度依存性があるため、例えば、装置の温度等の変動があると、光路に使われている光ファイバの偏光特性が変化してしまうおそれがある。特許文献２には、偏光状態が変化した場合に校正を行う為に、測定光を反射又は散乱する制限手段と偏光制御手段とを備えた装置が提案されている。この装置では、制限手段に測定光を照射した時の偏光の強度に基づいて、偏光制御手段により測定光の偏光を制御する。
【先行技術文献】
【特許文献】
【０００４】
【特許文献１】国際公開第２０１０／１２２１１８号
【特許文献２】特開２０１３−２１２３１４号公報
【発明の概要】
【発明が解決しようとする課題】
【０００５】
しかしながら、特許文献２に記載の装置は、測定光を反射又は散乱させる制限手段は複屈折を有しておらず、リタデーションが０°の試料に対して校正がなされる。さらに、特許文献２に記載の装置は、被検体を測定する場合と、校正する場合とで偏光状態を変えて校正を行う。一方、被検体となる眼底組織は、例えば神経繊維層の場合、リタデーションは１０〜５０°程度の値をもつ。ＯＣＴの光路を構成する各部材の光学透過率は偏光成分によって異なる。このため、被検体に適した校正が行われているとは言い難く、より高精度な校正が求められている。
【０００６】
本発明はこのような問題点に鑑みなされたもので、被検体に適した、偏光状態の校正を行うことを目的とする。
【課題を解決するための手段】
【０００７】
そこで、本発明は、参照光と、被写体に照射された測定光の反射光との干渉光に基づいて、前記被写体の偏光状態を示す画像を得る画像処理装置であって、参照光と、前記被写体に照射された測定光の反射光との干渉光を検出する検出手段と、偏光特性が既知の模型物に対して前記検出手段により検出された検出値と、前記模型物の既知の前記偏光特性と、に基づいて、校正量を算出する校正量算出手段と、前記校正量と、被検体に対して前記検出手段により検出された検出値と、に基づいて、被検体の偏光特性を算出する偏光特性算出手段とを有することを特徴とする。
【発明の効果】
【０００８】
本発明によれば、被検体に適した、偏光状態の校正を行うことができる。
【図面の簡単な説明】
【０００９】
【図１】第１の実施形態に係る画像処理装置としての撮影装置を示す図である。
【図２】模型物２００を示す図である。
【図３】断層画像を示す図である。
【図４】撮影装置による、校正処理を示すフローチャートである。
【図５】測定処理を示すフローチャートである。
【図６】第２の実施形態に係る撮影装置を示す図である。
【図７】第２の実施形態に係る、校正処理を示すフローチャートである。
【図８】第３の実施形態に係る撮影装置を示す図である。
【図９】第４の実施形態に係る撮影装置を示す図である。
【図１０】第５の実施形態に係る撮影装置を示す図である。
【発明を実施するための形態】
【００１０】
以下、本発明の実施形態について図面に基づいて説明する。
【００１１】
（第１の実施形態）
図１は、第１の実施形態に係る画像処理装置としての撮影装置を示す図である。なお、本実施形態においては、被検眼を被検体とし、被検体の画像を得る撮影装置（眼科装置）について説明するが、被検体は、これに限定されるものではない。他の例としては、撮影装置は、皮膚、内臓等を被検体とし、これらの画像を得るものであってもよい。撮影装置はまた、内視鏡であってもよい。
【００１２】
図１に示すように、撮影装置は、偏光ＯＣＴ（Ｐｏｌａｒｉｚａｔｉｏｎ  Ｓｅｎｓｉｔｉｖｅ  ＯＣＴ；以下、ＰＳ−ＯＣＴ）である。撮影装置は、干渉光学計１００、前眼部撮像部１６０、内部固視灯１７０及び制御装置１８０を有している。前眼部撮像部１６０により観察される被検体の前眼部の画像を用いて、装置のアライメントが行われ、アライメント完了後に、内部固視灯１７０を点灯し、被検眼に注視させた状態で、干渉光学計１００による眼底の撮像が行われる。
【００１３】
次に、干渉光学計１００の構成について説明する。光源１０１は、低コヒーレント光源であるＳＬＤ（Ｓｕｐｅｒ  Ｌｕｍｉｎｅｓｃｅｎｔ  Ｄｉｏｄｅ）であり、中心波長８５０ｎｍ、バンド幅５０ｎｍの光を出射する。光源１０１としてＳＬＤを用いたが、ＡＳＥ（Ａｍｐｌｉｆｉｅｄ  Ｓｐｏｎｔａｎｅｏｕｓ  Ｅｍｉｓｓｉｏｎ）等、低コヒーレント光が出射できる光源であれば何れでも良い。光源１０１から出射された光は、偏光保持ファイバ１０２、偏光コントローラ１０３を介して、偏光保持ファイバカップラ１０４に導かれ、測定光と参照光に分岐される。
【００１４】
偏光コントローラ１０３は、光源１０１から出射された光の偏光の状態を調整するものであり、光を直線偏光に調整する。本実施形態の場合、偏光コントローラ１０３は、後述するファイバカップラ１２３で分岐される偏光方向を基準にして、垂直方向に偏光調整する。本実施形態では、偏光コントローラ１０３は、インラインの偏光コントローラとするが、これに限定されるものではない。偏光コントローラ１０３は、例えば、複数のパドルを有するパドル型の偏光コントローラであってもよい。また例えば、偏光コントローラ１０３は、λ／４波長板とλ／２波長板とを組合せた偏光コントローラであってもよい。
【００１５】
偏光保持ファイバカップラ１０４の分岐比は、９０（参照光）：１０（測定光）である。分岐された測定光は、偏光保持ファイバ１０５を介してコリメータ１０６から平行光として出射される。出射された測定光は、Ｘスキャナ１０７、レンズ１０８，１０９、Ｙスキャナ１１０を介し、ダイクロイックミラー１１１に到達する。ここで、Ｘスキャナ１０７は、眼底Ｅｒにおいて測定光を水平方向にスキャンするガルバノミラーから構成される。Ｙスキャナ１１０は、眼底Ｅｒにおいて測定光を垂直方向にスキャンするガルバノミラーから構成される。Ｘスキャナ１０７及びＹスキャナ１１０は、駆動制御部１８１により制御され、眼底Ｅｒの領域を測定光により走査することができる。
【００１６】
ダイクロイックミラー１１１は、８００ｎｍ〜９００ｎｍの光を反射し、それ以外の光を透過する特性を有する。ダイクロイックミラー１１１により反射された測定光は、レンズ１１２を介し、４５°傾けて設置されたλ／４波長板１１３を通過する事で位相が９０°ずれ、円偏光の光に偏光制御される。ここで、被検眼に入射される光は、λ／４波長板１１３を４５°傾けて設置することで円偏光の光に偏光制御されるが、被検眼の特性により眼底Ｅｒにおいて円偏光とならない場合がある。そのため、駆動制御部１８１の制御により、λ／４波長板１１３の傾きを微調整できるように構成されている。
【００１７】
測定光の光路には、反射体としてのミラー２１０が挿脱自在、すなわち移動可能に配置されている。ミラー２１０は駆動制御部１８１により制御され、被検体を撮影する時には、測定光の光路から退避されている。本装置の校正を実施する時には、駆動制御部１８１は、ミラー２１０を測定光の光路に挿入し、測定光をミラー２１１に反射させる。ミラー２１１は、ミラー２１０により反射された測定光を、模型物２００に反射する。模型物２００の具体的な構成については、後述する。測定光は模型物２００でミラー２１１に反射され、上述の光学経路を経由して偏光保持ファイバカップラ１０４に戻る。ミラー２１０が測定光の光路から退避されている時、円偏光に偏光制御された測定光は、ステージ１１６上に乗ったフォーカスレンズ１１４により、被検体である眼の前眼部Ｅａを介し、眼底Ｅｒの網膜層にフォーカスされる。眼底Ｅｒを照射した測定光は各網膜層で反射・散乱し、上述の光学経路を経由して偏光保持ファイバカップラ１０４に戻る。すなわち、駆動制御部１８１は、反射体としてのミラー２１０を移動させることにより、測定光の光路を模型物２００又は被検体に導く光路制御処理を行う。
【００１８】
一方、偏光保持ファイバカップラ１０４で分岐された参照光は、偏光保持ファイバ１１７を介してコリメータ１１８から平行光として出射される。出射された参照光は２２．５°傾けて設置されたλ／４波長板１１９で偏光制御される。参照光は分散補償ガラス１２０を介し、コヒーレンスゲートステージ１２１上のミラー１２２で反射され、偏光保持ファイバカップラ１０４に戻る。参照光は、λ／４波長板１１９を二度通過する事で直線偏光の光が偏光保持ファイバカップラ１０４に戻ることになる。本実施形態の場合、後述するファイバカップラ１２３で分岐される偏光方向を基準にして、４５°直線偏光に偏光調整する。コヒーレンスゲートステージ１２１は、被検者の眼軸長の相違等に対応する為、駆動制御部１８１で制御されている。
【００１９】
偏光保持ファイバカップラ１０４に戻った測定光の反射光と参照光は合波されて干渉光となり、偏光ビームスプリッタを内蔵したファイバカップラ１２３に入射し、異なる偏光方向であるＰ偏光の光とＳ偏光の光に分割される（分割処理）。Ｐ偏光の光は、偏光保持ファイバ１２４、コリメータ１３０を介し、グレーティング１３１により分光されレンズ１３２、ラインカメラ１３３で受光される。同様に、Ｓ偏光の光は、偏光保持ファイバ１２５、コリメータ１２６を介し、グレーティング１２７により分光されレンズ１２８、ラインカメラ１２９で受光される。なお、グレーティング１２７，１３１、ラインカメラ１２９，１３３は、各偏光の方向に合わせて配置されている。ラインカメラ１２９，１３３でそれぞれ受光した光は、光の強度に応じた電気信号として出力され、信号処理部１８２で受ける。
【００２０】
＜模型物２００＞
図２は、模型物２００を示す図である。模型物２００は、リターダー２００ａ及び反射体２００ｂを有している。リターダー２００ａと反射体２００ｂは密着していても良いし、間に隙間があっても良い。また、集光や合焦目的で、模型物２００の手前には、レンズ（不図示）が配置されていてもよい。
【００２１】
リターダー２００ａは、位相シフターとも呼ばれ、透過する光の位相を変化させる。リターダー２００ａは、リタデーション及び光軸の向きが既知の複屈折材、光学異方体である。リタデーションを所定の値とする観点からは、厚さや複屈折が規定しやすく、かつ変動しにくい材料が望ましい。例えば、リターダー２００ａとしては、石英や方解石やフッ化マグネシウム結晶、異方性を有する有機物、又は液晶を使用する事ができる。リターダー２００ａは一枚の複屈折材であってもよいし、２枚以上の材料を組合せてもよい。被検体が眼である場合、視神経繊維層のリタデーションは、１０〜５０°程度なので、リターダー２００ａのリタデーションも１０〜５０°の範囲で既知の値である事が望ましい。本実施形態に係る撮影装置においては、算出するリタデーションは９０°毎に反転するので、リタデーションは９０°の整数倍を加えた範囲であっても良い。リターダー２００ａのリタデーションや光軸の向きは、偏光顕微鏡等の既存の複屈折測定装置や、校正済みのＰＳ−ＯＣＴで、事前に測定すればよい。
【００２２】
反射体２００ｂは、リターダー２００ａを透過した測定光を反射する材料であればよい。例えば、金属コーティングされた光学ミラーが挙げられる。また、ＴｉＯ２等の金属微粒子からなる散乱体であってもよい。反射体２００ｂの反射面の位置で測定光の光路長が規定される。
【００２３】
模型物２００は、所定の位置及び光軸の向きとなるように、撮影装置内で保持される。模型物２００の位置は、参照光の光路長が調整可能な範囲内であればよい。コヒーレンスゲートステージ１２１の調整を最低限に済ませる観点からは、被検体を測定する時の測定光の光路長と、模型物２００を測定する時の測定光の光路長とが略等しくなる位置に、模型物２００を配置する事が望ましい。また、リターダー２００ａの表面に対する測定光の入射角は、所定のリタデーションが得られる入射角とすればよい。リターダー２００ａの光軸の向きは、既知の任意の角度となるように保持すればよい。既知の角度とすることで、オリエンテーションにズレが発生した場合でも校正を行う事が可能となる。
【００２４】
＜前眼部撮像部１６０＞
図１に戻り、前眼部撮像部１６０について説明する。前眼部撮像部１６０は、波長１０００ｎｍの照明光を発するＬＥＤ１１５ａ，１１５ｂから成る照明光源１１５により前眼部Ｅａを照射する。前眼部Ｅａで反射された光は、フォーカスレンズ１１４、λ／４波長板１１３、レンズ１１２、ダイクロイックミラー１１１を介し、ダイクロイックミラー１６１に達する。ダイクロイックミラー１６１は、９８０ｎｍ〜１１００ｎｍの光を反射し、それ以外の光を透過する特性を有する。ダイクロイックミラー１６１で反射された光は、レンズ１６２，１６３，１６４を介し、前眼部カメラ１６５で受光される。前眼部カメラ１６５で受光された光は、電気信号に変換され、信号処理部１８２で受ける。
【００２５】
＜内部固視灯１７０＞
内部固視灯１７０について説明する。内部固視灯１７０は、表示部１７１及びレンズ１７２を有する。表示部１７１には、複数の発光ダイオード（ＬＤ）がマトリックス状に配置されたものを用いる。発光ダイオードの点灯位置は、駆動制御部１８１の制御により撮像したい部位に合わせて変更される。表示部１７１からの光は、レンズ１７２を介し、被検眼に導かれる。表示部１７１から出射される光は５２０ｎｍで、駆動制御部１８１により所望のパターンが表示される。
【００２６】
＜制御装置１８０＞
制御装置１８０について説明する。制御装置１８０は、駆動制御部１８１、信号処理部１８２、制御部１８３、表示部１８４から構成される。駆動制御部１８１は、上述の通り各部を制御する。本実施形態では、駆動制御部１８１により、ミラー２１０を制御することで、測定光を照射する対象を、被検体または模型物２００に切り替える。信号処理部１８２は、ラインカメラ１２９，１３３及び前眼部カメラ１６５それぞれから出力される信号に基づき、画像を生成する。信号処理部１８２はまた、生成した画像の解析、解析結果の可視化情報の生成を行う。なお、画像の生成などの詳細については、後述する。制御部１８３は、撮影装置全体を制御すると共に、信号処理部１８２で生成された画像等を表示部１８４の表示画面に表示する。表示部１８４は、制御部１８３の制御の下、後述するように種々の情報を表示する。ここで、表示部１８４は、例えば、液晶等のディスプレイである。なお、信号処理部１８２で生成された画像データは、制御部１８３に有線で送信されても良いし、無線で送信されても良い。この場合、制御部１８３を画像処理装置とみなすことができる。なお、制御装置１８０は、ＣＰＵ、ＲＯＭ，ＲＡＭ等で構成され、後述する制御装置１８０の機能や処理は、ＣＰＵがＲＯＭ等に格納されているプログラムを読み出し、このプログラムを実行することにより実現されるものである。
【００２７】
＜画像処理方法＞
次に、信号処理部１８２における画像生成、画像解析について説明する。
【００２８】
＜断層信号生成＞
信号処理部１８２は、ラインカメラ１２９，１３３から入力した干渉信号に対して、Ｓｐｅｃｔａｒａｌ  Ｄｏｍａｉｎ（ＳＤ）−ＯＣＴに用いられる再構成処理を行うことで、断層信号を生成する。まず信号処理部１８２は、干渉信号から固定パターンノイズ除去を行う。固定パターンノイズ除去は検出した複数のＡスキャンを平均することで固定パターンノイズを抽出し、これを入力した干渉信号から減算することで行われる。次に信号処理部１８２は、干渉信号を波長から波数に変換し、フーリエ変換を行うことによって断層信号を生成する。以上の処理を２つの偏光成分の干渉信号に対して行うことにより、各偏光成分に基づいた２つの断層信号が生成される。
【００２９】
＜輝度画像生成＞
信号処理部１８２は、前述した２つの断層信号から断層輝度画像を生成する。信号処理部１８２は、断層信号を、Ｘスキャナ１０７及びＹスキャナ１１０の駆動に同期して整列させることにより、各偏光成分に基づいた２つの断層画像（第１の偏光に対応する断層画像、第２の偏光に対応する断層画像とも言う）を生成する。輝度画像は従来のＯＣＴにおける断層画像と基本的に同じもので、その画素値ｒは各ラインカメラ１２９，１３３から得られた断層信号ＡH，ＡVから（式１）によって計算される。図３（ａ）に視神経乳頭部の輝度画像の例を示す。
【数１】
2016022010.tif 000003
【００３０】
＜リタデーション像生成＞
信号処理部１８２は、互いに直行する偏光成分の断層信号からリタデーション像を生成する。リタデーション像の各画素の値δは、断層像を構成する各画素の位置において、垂直偏光成分と水平偏光成分の間の位相差（強度比から繊維層の有無：厚み）を数値化したものであり、各断層信号ＡH，ＡVから（式２）によって計算される。
δ=ａｒｃｔａｎ［ＡV／ＡH］  ・・・（式２）
図３（ｂ）は、このように生成された視神経乳頭部のリタデーション画像（偏光の位相差を示す断層画像とも言う）の例を示したものであり、各Ｂスキャン画像に対して（式２）を計算することによって得ることができる。図３（ｂ）は、断層画像において位相差が生じる箇所を表示しており、濃淡の濃い場所（図中の右下がり斜め線）は位相差が大きく、濃淡の淡い場所（図中のハッチング部）は位相差が小さいことを表している。そのため、リタデーション画像を生成することにより、複屈折性のある層を把握することが可能となる。
【００３１】
＜ＤＯＰＵ画像生成＞
信号処理部１８２は、取得した断層信号ＡH，ＡVとそれらの間の位相差ΔΦから、画素毎にストークスベクトルＳを（式３）により計算する。
【数２】
2016022010.tif 000004
ただし、ΔΦは２つの断層画像を計算する際に得られる各信号の位相ΦHとΦVからΔΦ＝ΦV−ΦHとして計算される。次に、信号処理部１８２は、各Ｂスキャン画像を概ね計測光の主走査方向に７０μｍ、深度方向に１８μｍ程度の大きさのウィンドウを設定する。そして、信号処理部１８２は、各ウィンドウにおいて（式３）で画素毎に計算されたストークスベクトルの各要素を平均する。そして、信号処理部１８２は、当該ウィンドウ内の偏光の均一性ＤＯＰＵ（Ｄｅｇｒｅｅ  Ｏｆ  Ｐｏｌａｒｉｚａｔｉｏｎ  Ｕｎｉｆｏｒｍｉｔｙ）を（式４）により計算する。
【数３】
2016022010.tif 000005
ただし、Ｑm，Ｕm，Ｖmは、各ウィンドウ内のストークスベクトルの要素Ｑ，Ｕ，Ｖを平均した値である。信号処理部１８２は、この処理をＢスキャン画像内の全てのウィンドウに対して行うことで、図３（ｃ）に示す視神経乳頭部のＤＯＰＵ画像（偏光の均一度を示す断層画像とも言う）を生成する。
【００３２】
ＤＯＰＵは偏光の均一性を表す数値であり、偏光が保たれている個所においては１に近い数値となり、偏光が解消された箇所においては１よりも小さい数値となるものである。網膜内の構造においては、網膜色素上皮（ＲＰＥ）が偏光状態を解消する性質があるため、ＤＯＰＵ画像においてＲＰＥに対応する部分は、他の領域に対してその値が小さくなる。図３（ｃ）において、濃淡が淡い場所（図中のハッチング部）がＲＰＥを示している。ＤＯＰＵ画像は、ＲＰＥ等の偏光を解消する層を画像化しているので、病気などによりＲＰＥが変形している場合においても、輝度の変化よりも確実にＲＰＥを画像化出来る。
【００３３】
＜オリエンテーション像生成＞
信号処理部１８２は、互いに直行する偏光成分の断層信号の位相ΦH，ΦVからオリエンテーション像を生成する。オリエンテーション像の各画素の値θは、断層像を構成する各画素の位置において、測定光に対する光軸の方向を表している。互いに直行する偏光成分の断層信号の位相差ΔΦから（式５）によって計算される。
θ＝（π−ΔΦ）／２  ・・・（式５）
光軸の向きは、被検体の内部構造の異方性に起因する。例えば神経繊維の走行方向に沿って発生する。そのため、オリエンテーション像を生成する事により、複屈折がある層の異方性の向きを把握する事が可能となる。
【００３４】
＜セグメンテーション＞
信号処理部１８２は、前述した輝度画像を用いて断層画像のセグメンテーションを行う。まず、信号処理部１８２は、処理の対象とする断層画像に対して、メディアンフィルタとＳｏｂｅｌフィルタをそれぞれ適用して画像を作成する（以下、メディアン画像、Ｓｏｂｅｌ画像とする）。次に、信号処理部１８２は、作成したメディアン画像とＳｏｂｅｌ画像から、Ａスキャン毎にプロファイルを作成する。メディアン画像では輝度値のプロファイル、Ｓｏｂｅｌ画像では勾配のプロファイルとなる。そして、信号処理部１８２は、Ｓｏｂｅｌ画像から作成したプロファイル内のピークを検出する。信号処理部１８２は、検出したピークの前後やピーク間に対応するメディアン画像のプロファイルを参照することで、網膜層の各領域の境界を抽出する。更に、信号処理部１８２は、Ａスキャンラインの方向に各層厚をそれぞれ計測し、各層の層厚マップを作成する。
【００３５】
＜リタデーションマップ生成＞
信号処理部１８２は、複数のＢスキャン像に対して得たリタデーション像からリタデーションマップを生成する。まず、信号処理部１８２は、各Ｂスキャン画像において、ＲＰＥを検出する。ＲＰＥは偏光を解消する性質を持っている。そこで、信号処理部１８２は、各Ａスキャンを深度方向に沿って内境界膜（ＩＬＭ）からＲＰＥを含まない範囲でリタデーションの分布を調べ、その最大値を当該Ａスキャンにおけるリタデーションの代表値とする。信号処理部１８２は、以上の処理を全てのリタデーション画像に対して行うことにより、リタデーションマップを生成する。
【００３６】
視神経乳頭部のリタデーションマップの例を図３（ｄ）に示す。図３（ｄ）において、濃淡の濃い場所は位相差が小さく、濃淡の淡い場所（図中のハッチング部）は位相差が大きいことを表している。視神経乳頭部において、複屈折性を持つ層は網膜神経線維層（ＲＮＦＬ）であり、リタデーションマップは、ＲＮＦＬの複屈折性とＲＮＦＬの厚みよって引き起こされる位相差を表している。そのため、ＲＮＦＬが厚い個所では位相差が大きくなり、ＲＮＦＬが薄い個所では位相差が小さくなる。したがって、リタデーションマップにより、眼底全体のＲＮＦＬの厚みを把握することができ、緑内障の診断に用いることができる。
【００３７】
＜複屈折マップ生成＞
信号処理部１８２は、先に生成されたリタデーション画像の各Ａスキャン画像において、ＩＬＭからＲＮＦＬの範囲でリタデーションδの値を線形近似し、その傾きを当該Ａスキャン画像の網膜上の位置における複屈折として決定する。信号処理部１８２は、この処理を取得した全てのリタデーション画像に対して行うことで、複屈折を表すマップを生成する。視神経乳頭部の複屈折マップの例を図３（ｅ）に示す。複屈折マップは、複屈折の値を直接マップ化するため、ＲＮＦＬの厚さが変化しない場合であっても、その繊維構造が変化した場合に、複屈折の変化として描出することができる。なお、本実施形態においては、上述した第１及び第２の偏光に対応する断層画像、リタデーション画像、ＤＯＰＵ画像等を、偏光状態を示す断層画像とも称する。また、本実施形態においては、上述したリタデーションマップや複屈折マップ等を、偏光状態を示す眼底画像とも称する。
【００３８】
次に、導光部材として使用している光ファイバの偏光状態の変動について説明する。撮影装置に、シングルモード光ファイバが用いられている場合、ファイバに曲げ荷重がかかるとファイバ内に複屈折が発生し、偏光状態が変動する。偏光状態の変動は、偏光コントローラで補正することが可能である。しかしながら、ファイバの複屈折には温度依存性がある為、ある温度下で補正を行っても、使用温度が変動すると偏光状態も変動し、再び偏光状態の補正が必要となってしまう。変動の大きさはファイバの特性にも依存する。例えば、２０℃程度の温度変化により、ファイバを透過する光の偏光の方位角や楕円率が数°変動する。偏光カップラや偏光コントローラ等、光ファイバが含まれる素子においても、同様に変動が生じる。偏光状態が変動すると、リタデーションやオリエンテーションの算出値に誤差が生じてしまう。従って、校正を行う事で、より安定した画像が取得できる。
【００３９】
＜校正および測定方法＞
撮影装置は、安定した画像を得るべく、測定前に校正モードにおいて、偏光状態の校正を行い、その後、測定モードにおいて、被検体の測定を行う。図４は、撮影装置による、校正処理を示すフローチャートである。検者が、例えば表示部１８４に表示された校正開始ボタン（不図示）や物理的に本装置に設けられた校正開始ボタンを操作することで校正モードを選択したとする。すると、撮影装置の制御装置１８０は、校正開始指示を受け付け、動作モードを校正モードに設定し、図４に示す校正処理を開始する。
【００４０】
Ｓ１００において、駆動制御部１８１は、測定光の光路にミラー２１０を挿入し（光路制御処理）、被写体としての模型物２００に測定光を照射する。模型物２００から反射された測定光は、ファイバカップラ１２３に入射し、異なる偏光方向であるＰ偏光の光とＳ偏光の光に分割され（分割処理）、その後、ラインカメラ１２９，１３３により受光される。ラインカメラ１２９，１３３は、受光量に応じた信号（断層信号）を出力する。そして、Ｓ１０１において、制御装置１８０は、ラインカメラ１２９，１３３から模型物２００に対応する断層信号ＡH0，ＡV0を取得する。なお、断層信号ＡH0，ＡV0には、模型物２００の偏光特性に、光源１０１から出射しラインカメラ１２９，１３３で受光するまでの光路中の偏光特性の変動が重畳されている。ここで、Ｓ１０１の処理は、ファイバカップラ１２３により分割された、干渉光の異なる偏光の光それぞれを検出し、検出値に応じた信号を出力する検出処理の一例である。
【００４１】
次に、Ｓ１０２において、制御装置１８０は、模型物２００の既知のリタデーションδ0と断層信号ＡH0，ＡV0とを比較する事で、補正係数を算出する。光路中の偏光特性に変動があると、断層信号ＡH0と断層信号ＡV0の比が変動する。断層信号ＡH0と断層信号ＡV0の比の変動を補正する補正係数をαとおくと、リタデーションδ0と断層信号ＡH0，ＡV0には（式６）の関係がある。
δ0＝ａｒｃｔａｎ［α＊ＡV0／ＡH0］  ・・・（式６）
そこで、制御装置１８０は、（式６）の関係に基づいて、（式７）により補正係数αを算出する。ここで、補正計数αは、校正量の一例である。また、Ｓ１０２の処理は、校正量を算出する校正量算出処理の一例である。
α＝ＡH0／ＡV0＊ｔａｎδ0  ・・・（式７）
以上で、校正処理が終了する。なお、校正処理が終了すると、制御装置１８０は、校正モードを終了する。
【００４２】
図５は、撮影装置による、測定処理を示すフローチャートである。検者が、例えば表示部１８４に表示された測定開始ボタン（不図示）や物理的に本装置に設けられた測定開始ボタンを操作することで測定モードが選択されたとする。すると、制御装置１８０は、測定開始指示を受け付け、動作モードを測定モードに設定し、測定を開始する。Ｓ２００において、駆動制御部１８１は、測定光の光路からミラー２１０を退避し、測定光を被検体に照射する。次に、Ｓ２０１において、制御装置１８０は、ラインカメラ１２９，１３３から被検体に対応する断層信号ＡH，ＡVを取得する。断層信号ＡH，ＡVには、被検体の偏光特性に、光源１０１から出射しラインカメラ１２９，１３３で受光するまでの光路中の偏光特性の変動が重畳されている。
【００４３】
次に、Ｓ２０２において、制御装置１８０は、断層信号ＡH，ＡVを用いて偏光特性の計算を行い、画像生成を行う。制御装置１８０は、断層信号ＡH，ＡVと、補正係数αと、を用いて、（式８）により、リタデーションδを算出する。
δ＝ａｒｃｔａｎ［α＊ＡV／ＡH］  ・・・（式８）
このように、断層信号ＡH，ＡVの強度比に補正係数αをかけることで、光路中の偏光特性の変動を除いた、リタデーションδを算出することができる。ここで、Ｓ２０２の処理は、校正量としての補正計数αと、検出値としての断層信号断層信号ＡH，ＡVに基づいて、被検体の偏光特性を算出する偏光特性算出処理の一例である。以上で、測定処理が終了する。なお、測定処理が終了すると、制御装置１８０は、測定モードを終了する。
【００４４】
以上のように、本実施形態に係る撮影装置は、模型物の測定結果から校正量としての補正係数を算出し、これを用いて、測定値を校正することにより、被検体に近い条件で校正を行うことができる。すなわち、撮影装置は、高精度な校正を行うことができ、安定した画像を得ることができる。
【００４５】
第１の実施形態に係る撮影装置の第１の変更例としては、校正を行うタイミングは、実施形態に限定されるものではない。他の例としては、検者等からのボタン操作に替えて、制御装置１８０が自動的に校正処理を開始してもよい。例えば、制御装置１８０は、撮影装置の電源を投入した時や、所定時間が経過した時に、校正処理を実行することとしてもよい。また、他の例としては、撮影装置は、不図示の温度計を内部に有し、制御装置１８０は、温度が所定量変動した場合に、校正処理を実行することとしてもよい。また、他の例としては、制御装置１８０は、測定ボタンが押される度に、校正処理を実行してもよい。また、他の例としては、制御装置１８０は、被検体の断層信号を取得後に、校正処理を実行してもよい。
【００４６】
また、第２の変更例としては、補正係数は、実施形態に限定されるものではない。制御装置１８０は、例えば、（式９）に示す補正係数Δδを算出してもよい。
Δδ＝δ0−ａｒｃｔａｎ［ＡV0／ＡH0］・・・（式９）
そして、制御装置１８０は、被検体の断層信号ＡH，ＡVと、補正係数Δδと、を用いて、（式１０）により、被検体のリタデーションδを算出してもよい。
δ＝ａｒｃｔａｎ［ＡV／ＡH]＋Δδ  ・・・（式１０）
さらに、制御装置１８０は、撮影装置の偏光特性の変動の傾向に基づいて、（式８）に示す第１の補正式と（式９）に示す第２の補正式とを選択的に利用することとしてもよい。例えば、制御装置１８０は、ファイバカップラ１２３の分岐以降における変動の影響が相対的に大きい場合は、第１の補正式を選択する。変動の要因として、例えば、ファイバカップラ１２３を透過する時の偏光状態の変動や分光器の感度の変動が挙げられる。制御装置１８０はまた、ファイバカップラ１２３よりも上流側の光路の変動の影響が大きい場合には、第２の補正式を選択する。なお、変動の影響度合いは、偏波計等で予め測定し、検者等が、測定結果に応じて、いずれかの補正式を選択し、これを撮影装置に設定しておくものとする。
【００４７】
また、第３の変更例としては、偏光特性は、リタデーションに限定されるものではない。撮影装置は、例えば、オリエンテーションを算出する際にも、（式９）に示す第２の補正式によるのと同様の校正を行うことができる。具体的には、制御装置１８０は、模型物２００の既知のオリエンテーションθ0と模型物２００の断層信号ΦH0，ΦV0の位相差ΔΦ0（＝ΦV0−ΦH0）から、（式１１）により、補正係数Δθを算出する。
Δθ＝θ0−（π−ΔΦ0）／２  ・・・（式１１）
さらに、制御装置１８０は、被検体のオリエンテーションθの算出では、被検体の断層信号ＡH，ＡVと、補正係数Δθとを用いて、（式１２）により、被検体のオリエンテーションθを算出する。
θ＝（π−ΔΦ0）／２＋Δθ  ・・・（式１２）
このように、制御装置１８０は、オリエンテーションを校正することができる。
【００４８】
（第２の実施形態）
図６は、第２の実施形態に係る撮影装置を示す図である。ここでは、第２の実施形態に係る撮影装置について、第１の実施形態に係る撮影装置と異なる部分についてのみ説明する。第２の実施形態においては、撮影装置は、第１の偏光コントローラ２２０と、第２の偏光コントローラ２２１と、第３の偏光コントローラ２２２とを備えている。以下、第１の偏光コントローラ２２０と、第２の偏光コントローラ２２１と、第３の偏光コントローラ２２２とを適宜、偏光コントローラ２２０〜２２２と称する。なお、このうち、第１の偏光コントローラ２２０は、第１の実施形態に係る撮影装置の偏光コントローラ１０３と同様のものである。３つの偏光コントローラ２２０〜２２２は、駆動制御部１８１による制御により、偏光を制御する。
【００４９】
第１の偏光コントローラ２２０は、光源１０１から出射された光の光路上に設けられており、出射光を垂直偏光に偏光制御する。第２の偏光コントローラ２２１は、参照光の光路上に設けられており、参照光を垂直偏光に偏光制御する。第３の偏光コントローラ２２２は、測定光の光路上に設けられており、測定光を垂直偏光に偏光制御する。さらに、測定光の光路には、シャッター２２３が設けられおり、駆動制御部１８１からの制御により測定光を遮光する。第１の実施形態に係る撮影装置の偏光コントローラ１０３と同様に、偏光コントローラ２２０〜２２２は、インラインの偏光コントローラとするが、これに限定されるものではない。偏光コントローラ２２０〜２２２は、駆動制御部１８１により、偏光の制御ができる形態であればよい。偏光コントローラ２２０〜２２２は、例えば、パドル型の偏光コントローラ、又は、λ／４波長板とλ／２波長板とを組合せた偏光コントローラであってもよい。
【００５０】
図７は、第２の実施形態に係る、校正処理を示すフローチャートである。検者が、例えば表示部１８４に表示された校正開始ボタン（不図示）や物理的に本装置に設けられた校正開始ボタンを操作することで校正モードを選択したとする。すると、撮影装置の制御装置１８０は、校正開始指示を受け付け、動作モードを校正モードに設定し、図７に示す校正処理を開始する。Ｓ３００において、駆動制御部１８１は、測定光の光路に、シャッター２２３を挿入する。これにより、測定光は遮光され、ラインカメラ１２９，１３３には、参照光のみが受光される。次に、Ｓ３０１において、制御装置１８０は、第１の偏光コントローラ２２０を制御し、所定の初期位置に移動する。ここで、所定の初期位置は、前回に校正した時の位置でも良いし、撮影装置を組立て調整した時に決定した位置でも良い。
【００５１】
次に、Ｓ３０２において、制御装置１８０は、ラインカメラ１２９，１３３により出力された、参照光の強度を表す参照光信号ＡHS，ＡVSを取得する。次に、Ｓ３０３において、制御装置１８０は、（式１３）により、参照光信号ＡHS，ＡVSから参照光信号の強度、すなわち信号強度Ａｓを算出する。
【数４】
2016022010.tif 000006
そして、制御装置１８０は、信号強度Ａｓと、予め設定した閾値と、を比較する。参照光信号の強度の閾値は、撮影装置を組立て調整した時に予め測定した参照光信号の強度を基に決定すればよい。少なくとも、被検体を測定する時に所望の画質の画像が得られる最小強度とする。
【００５２】
制御装置１８０は、信号強度Ａｓが閾値以上の場合には（Ｓ３０３でＹｅｓ）、処理をＳ３０４へ進める。制御装置１８０は、信号強度Ａｓが閾値未満の場合には（Ｓ３０３でＮｏ）、処理をＳ３０１へ進め、再び、第１の偏光コントローラ２２０を制御する。具体的には、制御装置１８０は、第１の偏光コントローラ２２０の制御により、信号強度が閾値を超えるように調整を行う。制御装置１８０は、信号強度を調整する際に、第１の偏光コントローラ２２０の全調整範囲内で変化させることとしてもよいし、勾配法等の既存の最適化アルゴリズムを用いることとしてもよい。
【００５３】
Ｓ３０４において、制御装置１８０は、第２の偏光コントローラ２２１を制御し、所定の初期位置に移動する。所定の初期位置は、前回に校正した時の位置でも良いし、装置を組立て調整した時に決定した位置でも良い。次に、Ｓ３０５において、制御装置１８０は、ラインカメラ１２９，１３３により出力された、参照光の強度を表す参照光信号ＡHS，ＡVSを取得する。次に、Ｓ３０６において、制御装置１８０は、参照光信号の強度比を算出する。そして、制御装置１８０は、参照光信号の強度比が第１の範囲に含まれるか否かを確認する。ここで、第１の範囲は、予め設定されているものとする。制御装置１８０は、参照光信号の強度比が第１の範囲に含まれる場合には（Ｓ３０６でＹｅｓ）、処理をＳ３０７へ進める。制御装置１８０は、参照光信号の強度比が第１の範囲に含まれない場合には（Ｓ３０６でＮｏ）、処理をＳ３０４へ進め、再び、第２の偏光コントローラ２２１を制御する。
【００５４】
本実施形態において、途中の光路に偏光特性の変動が無い場合、参照光は４５°直線偏光としてファイバカップラ１２３に入射し、５０：５０の強度比で分割される。従って、理想的には参照光信号の強度比は１となる。これに対応し、撮影装置において必要とされる精度や第２の偏光コントローラ２２１の調整精度に応じて、略等しいとみなせる範囲を、第１の範囲として設定することとする。例えば、リタデーション換算で±１°以内の範囲とするのであれば、参照光信号ＡHS，ＡVSの強度比が０．９７（＝ｔａｎ［４４°］）〜１．０４（＝ｔａｎ［４６°］）の範囲を第１の範囲として設定すればよい。制御装置１８０は、信号強度を調整する際に、第２の偏光コントローラ２２１の全調整範囲内で変化させることとしてもよいし、勾配法等の既存の最適化アルゴリズムを用いることとしてもよい。
【００５５】
次に、Ｓ３０７において、駆動制御部１８１は、測定光の光路からシャッター２２３を退避する。駆動制御部１８１は、さらにミラー２１０を挿入し、模型物２００に測定光を照射する。次に、Ｓ３０８において、駆動制御部１８１は、第３の偏光コントローラ２２２を所定の初期位置に移動する。所定の初期位置は、前回に校正した時の位置でも良いし、装置を組立て調整した時に決定した位置でも良い。次に、Ｓ３０９において、制御装置１８０は、ラインカメラ１２９，１３３により出力された、干渉光の強度を表す断層信号ＡH，ＡVを取得する。
【００５６】
次に、Ｓ３１０において、制御装置１８０は、断層信号の強度比を算出する。そして、制御装置１８０は、断層信号の強度比が第２の範囲に含まれるか否かを確認する。ここで、第２の範囲は、模型物２００の既知のリタデーションδ0に基づいて定まる範囲である。制御装置１８０は、断層信号の強度比が第２の範囲に含まれる場合には（Ｓ３１０でＹｅｓ）、測定光の光路からミラー２１０を退避し、測定光が被検体に照射されるように切り替えて、校正処理を終了する。一方、制御装置１８０は、断層信号の強度比が第２の範囲に含まれない場合には（Ｓ３１０でＮｏ）、処理をＳ３０８へ進め、再び第３の偏光コントローラ２２２を制御する。ここで、Ｓ３０８の処理は、偏光を制御する偏光制御処理の一例である。
【００５７】
本実施形態において、模型物２００のリタデーションδ0は既知であり、途中の光路に偏光特性の変動が無い場合、断層信号の強度比は、（式１４）で表される。
ＡV／ＡH＝ｔａｎ［δ0］  ・・・（式１４）
したがって、撮影装置において必要とされる精度や第３の偏光コントローラ２２２の調整精度に応じて、略等しいとみなせる範囲を、第２の範囲として設定することとする。例えば、リタデーションで±１°以内の範囲とするのであれば、参照光信号ＡHS，ＡVSの強度比がｔａｎ［０．９９＊δ0］〜ｔａｎ［１．０１＊δ0］となる範囲を第２の範囲として設定すればよい。制御装置１８０は、信号強度を調整する際に、第３の偏光コントローラ２２２の全調整範囲内で変化させることとしてもよいし、勾配法等の既存の最適化アルゴリズムを用いることとしてもよい。
【００５８】
以上のように、第２の実施形態に係る撮影装置は、第１の実施形態に係る撮影装置と同様に、模型物の測定結果を用いることにより、被検体に近い状態で、校正を行うことができる。
【００５９】
なお、第２の実施形態に係る撮影装置の第１の変更例としては、校正処理は、検者等からのボタン操作に応じて開始されるものとしたが、校正処理が開始されるタイミングは、被検体の測定前であればよく、実施形態に限定されるものではない。
【００６０】
第２の変更例としては、撮影装置は、図７を参照しつつ説明した、第２の実施形態に係る校正処理と、図５を参照しつつ説明した、第１の実施形態に係る校正処理の両方を実行してもよい。以下、第２の実施形態に係る校正処理を機械的校正処理、第１の実施形態に係る校正処理を数値的校正処理と称することとする。例えば、撮影装置は、機械的校正処理を実行した後に、数値的校正処理を実行する。すなわち、撮影装置は、機械的校正処理における偏光制御後に、数値的校正処理を実行する。この場合、制御装置１８０は、機械的校正処理において取得した断層信号ＡH，ＡVを数値的校正処理において用いてもよく、また、数値的校正処理において、改めて断層信号ＡH，ＡVを取得してもよい。また、撮影装置は、被検体の測定前に、機械的校正処理を１回実行し、その後、被検体の測定が行われる度に、その直前又は直後に数値的校正を行ってもよい。機械的な校正は、偏光コントローラを調整する必要がある為、時間を要する。一方、数値的な校正は、一回の測定で補正係数を得られる。そこで、このように、機械的校正処理と数値的校正処理とを組み合わせて実行することにより、効率的に校正を実行することができる。
【００６１】
以上のように、撮影装置は、機械的校正処理と数値的校正処理とを組み合わせることにより、機械的校正処理で校正しきれなかった変動や、校正後に生じた変動を数値的校正処理において校正することができる。これにより、撮影装置は、機械的校正処理又は数値的校正処理を単独で実行する場合に比べて高精度に校正を行うことができ、安定した画像を得ることができる。
【００６２】
（第３の実施形態）
図８は、第３の実施形態に係る撮影装置を示す図である。ここでは、第３の実施形態に係る撮影装置について、第１の実施形態に係る撮影装置と異なる部分についてのみ説明する。第３の実施形態に係る撮影装置は、Ｙスキャナ１１０の方向を制御する事で、測定光の照射方向を模型物２００と被検体との間で切り替える。なお、図８に図示するＹスキャナ１１０が模型物２００に測定光を照射する方向は、実際の向きとは必ずしも一致しない。第３の実施形態において、模型物２００は、所定の位置及び向きとなるように設けられている。また、Ｙスキャナ１１０と模型物２００の間には、λ／４波長板２３０が配置されている。λ／４波長板２３０は、垂直偏光の測定光に対し、４５°傾けて設置される。測定光は、λ／４波長板２３０を通過する事で位相が９０°ずれ、円偏光の光に偏光制御されて、模型物２００に照射される。また、集光や合焦目的で、模型物２００の手前にレンズが配置されていてもよい。また、測定光の照射対象の切り替えは、Ｘスキャナ１０７で行っても良い。
【００６３】
以上のように、第３の実施形態に係る撮影装置は、スキャナで模型物２００と被検体との照射を切り替えることができる。すなわち、第３の実施形態に係る撮影装置は、より少ない部品点数で校正することができる。さらに、撮影装置は、断層像毎に校正する事も可能となり、より安定した画像を取得する事ができる。
【００６４】
（第４の実施形態）
図９は、第４の実施形態に係る撮影装置を示す図である。ここでは、第４の実施形態に係る撮影装置について、第１の実施形態に係る撮影装置と異なる部分についてのみ説明する。第４の実施形態に係る撮影装置は、ミラー２１０，２１１を有さない。また、本実施形態に係る撮影装置においては、模型物２４０は、測定光の光路に挿脱可能に配置されている。模型物２４０は、リタデーション及び光軸の向きが既知なリターダー２４０ａと、測定光を反射する反射体２４０ｂと、を有している。校正処理が開始されると、駆動制御部１８１は、模型物２４０を測定光の光路に挿入する。すなわち、校正処理は、模型物２４０が測定光の光路の配置された状態で実行される。模型物２４０は、さらに、測定光を遮光するシャッターの一部を兼ねてもよい。このように、第４の実施形態に係る撮影装置は、ミラー２１０，２１１を必要としないため、より少ない部品点数で校正することができる。
【００６５】
（第５の実施形態）
図１０は、第５の実施形態に係る撮影装置を示す図である。ここでは、第５の実施形態に係る撮影装置について、第１の実施形態に係る撮影装置と異なる部分についてのみ説明する。第５の実施形態においては、検者等は、測定場所に被検体が位置しない時に校正モードを選択して、模型物２５０を被検体の位置に設置する。模型物２５０は、リタデーションが既知なリターダー２５０ａと、測定光を反射する反射体２５０ｂと、を有している。模型物２５０は、検者が手動で設置してもよいし、撮影装置の制御装置１８０が自動的に配置することとしてもよい。この場合、模型物２５０を固定する工具や機構（不図示）を用いることで、模型物２５０の位置や傾きを規定することとする。校正処理時には、模型物２５０は、被検体に相当する位置に配置される。以上のように、第５の実施形態に係る撮影装置は、模型物２５０を撮影装置内に内蔵する必要がなくなり、より簡単な構成で校正が可能となる。
【００６６】
上記の説明においては、光源１０１から出射された出射光は偏光コントローラ１０３で垂直偏光に調整されたが、出射光は、水平偏光等の他の方位角の直線偏光に調整されてもよい。他の方位角とする場合、波長板の角度、及び算出式を対応した形にすればよい。また、上記実施形態の撮影装置は、ＳＤ−ＯＣＴ以外にも、Ｔｉｍｅ‐Ｄｏｍａｉｎ（ＴＤ）−ＯＣＴやＳｗｅｐｔ−Ｓｏｕｒｃｅ（ＳＳ）−ＯＣＴにも適用できる。また、撮影装置の被検体は、上記実施形態に限定されるものではない。撮影装置は、被検体の偏光特性を測定するＯＣＴであればよく、例えば、皮膚、内臓、血管、歯等、眼以外の生体や、生体以外の試料等の偏光特性を測定するＯＣＴであってもよい。
【００６７】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給する。そして、そのシステム或いは装置のコンピュータ（又はＣＰＵやＭＰＵ等）がプログラムを読み出して実行する処理である。
【００６８】
以上、上述した各実施形態によれば、被検体に適した、偏光状態の校正を行うことができる。
【００６９】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００７０】
１０１  光源
１０３  偏光コントローラ
１２９，１３３  ラインカメラ
２００  模型物
２１０，２１１  ミラー
２２０，２２１，２２２  偏光コントローラ
２２３  シャッター
【図１】
2016022010.tif 000007
【図２】
2016022010.tif 000008
【図３】
2016022010.tif 000009
【図４】
2016022010.tif 000010
【図５】
2016022010.tif 000011
【図６】
2016022010.tif 000012
【図７】
2016022010.tif 000013
【図８】
2016022010.tif 000014
【図９】
2016022010.tif 000015
【図１０】
2016022010.tif 000016